(57)【要約】      （修正有）【課題】複数の接続部材によって簡便に組み立てることができ、安定性に優れた球状テントフレームを提供する。【解決手段】球状テントフレームは、複数の支持ロッド１と複数の接続部材２を含み、各接続部材には少なくとも２つの接続ヘッド２０が設けられ、各接続ヘッドには軸方向にスリーブ２１が嵌合され、スリーブの内壁における底部寄りの位置には環状溝が設けられ、環状溝の上縁に沿ってスリーブの底部中央を向く複数の弾性片が設けられ、各支持ロッドの両端はいずれもスリーブに挿入され、且つ、接続部材を頂点として、三角形単位で係接されて半球状フレームを形成している。球状テントフレームは、三角形の安定性原理を用いているので、外観は美しくありながらにしてしっかりとした構造である。【選択図】図１
0003220248.tif 000002
【実用新案登録請求の範囲】
【請求項１】
複数の支持ロッドと複数の接続部材を含む球状テントフレームにおいて、
各前記接続部材には、少なくとも２つの接続ヘッドが設けられており、
各前記接続ヘッドには、軸方向にスリーブが嵌合されており、
前記スリーブの内壁における底部寄りの位置には、環状溝が設けられており、
前記環状溝の上縁に沿って前記スリーブの底部中央を向く複数の弾性片が設けられており、
各前記支持ロッドの両端はいずれも、前記スリーブに挿入され、且つ、前記接続部材を頂点として、三角形単位で係接される半球状フレームを形成することを特徴とする球状テントフレーム。
【請求項２】
前記接続部材は、正六股の接続ヘッド部材を含み、
当該正六股の接続ヘッド部材は、正六角形の中心ベースを含み、
前記接続ヘッドはそれぞれ、前記中心ベースの各側面に固定接続されて放射状に分布していることを特徴とする請求項１に記載の球状テントフレーム。
【請求項３】
前記接続部材は、正五股の接続ヘッド部材を含み、
当該正五股の接続ヘッド部材は、正五角形の中心ベースを含み、
前記接続ヘッドはそれぞれ、前記五角形の中心ベースの各側面に固定接続されて放射状に分布していることを特徴とする請求項１に記載の球状テントフレーム。
【請求項４】
前記接続部材は、偏在した五股の接続ヘッド部材を含み、
当該偏在した五股の接続ヘッド部材は、扁形の多角形中心ベースを含み、
前記接続ヘッドはそれぞれ、前記多角形中心ベースの側面に固定接続されて放射状に分布しており、
一対の隣接する２つの前記接続ヘッドの間の夾角は、鈍角であることを特徴とする請求項１に記載の球状テントフレーム。
【請求項５】
前記接続部材は第１の四股の接続ヘッド部材を含み、
当該第１の四股の接続ヘッド部材は、２つの直角を有する扁形の五角形中心ベースを含み、
前記接続ヘッドはそれぞれ、前記五角形中心ベースの側面に固定接続されて放射状に分布しており、
２つの前記接続ヘッドはそれぞれ、前記中心ベースにおける２つの平行な面に位置するとともに同一軸線上に位置し、
残りの２つの前記接続ヘッドはそれぞれ、前記五角形中心ベースにおける２つの斜面上に位置することを特徴とする請求項１に記載の球状テントフレーム。
【請求項６】
前記接続部材は第２の四股の接続ヘッド部材を含み、
当該第２の四股の接続ヘッド部材は、方形の多角形中心ベースを含み、
２つの前記接続ヘッドはそれぞれ、前記多角形中心ベースにおける２つの平行な側面に位置するとともに同一軸線上に位置し、
残り２つの前記接続ヘッドは、前記多角形中心ベースの天井面に位置することを特徴とする請求項１に記載の球状テントフレーム。
【請求項７】
前記接続部材は、三股の接続ヘッド部材を含み、
当該三股の接続ヘッド部材における３つの前記接続ヘッドは、互いに接続されて全体がＴ字形状をなしていることを特徴とする請求項１に記載の球状テントフレーム。
【請求項８】
前記接続部材は、偏在した三股の接続ヘッド部材を含み、
当該偏在した三股の接続ヘッド部材は、２つの直角を有する扁形の五角形中心ベースを含み、
前記接続ヘッドはそれぞれ、前記中心ベースの側面に固定接続されて放射状に分布しており、
前記偏在した三股の接続ヘッド部材全体が斜角三角形状をなすよう、２つの前記接続ヘッドはそれぞれ前記中心ベースにおける２つの平行な面に位置するとともに同一軸線上に位置し、
残りの前記接続ヘッドは、前記中心ベースにおける斜面に位置することを特徴とする請求項１に記載の球状テントフレーム。
【請求項９】
前記接続部材は二股の接続ヘッド部材を含み、
当該二股の接続ヘッド部材における２つの前記接続ヘッドは互いに同軸の直線状に接続されていることを特徴とする請求項１に記載の球状テントフレーム。
【請求項１０】
前記球状テントフレームの開口は、円弧アーチ状又は尖頭方形状であることを特徴とする請求項１〜９のいずれかに記載の球状テントフレーム。
【考案の詳細な説明】
【技術分野】
【０００１】
本考案は、テントフレームに関し、より詳細には、球状テントフレームに関する。
【背景技術】
【０００２】
テントは、仮住まいの建築物として使用されており、野外にピクニックに出かけたときや一時的に非難する必要が生じたときに生活空間を提供することができる。従来のテントは、形状が単純であることに加えて、構造も比較的単純であるため、環境に優しいというメリットはあるものの、耐荷重性が十分ではないし、天候が比較的悪い場合もあるので、野生で長期間生活をする必要がある場合には適していない。
【０００３】
球状のテントフレームは、湾曲した設計となっているので、上記の従来のテントよりも応力を適切に分散することができる。しかしながら、球状のテントフレームは、曲面を形成する構造の特殊性があるため、支持ロッド同士を接続する継ぎ手の安定性が十分ではなく、設置が困難であることから、球状テントフレームの適用範囲は限定的となっているので遅々として開発が進んでいない。
【０００４】
従来のテントフレームを開示する文献としては、特開２０１８−１３５６８５号公報（特許文献１）が挙げられる。特許文献１に開示の組み立て式テントは、少なくも４本の支柱と、隣接する２本の支柱を連結する横梁構造体と、天幕を支持する屋根構造体と、天幕と、を備え、前記横梁構造体は、２本のシザーバーをＸ字状に回動自在に連結してなるシザーユニットを単独又は複数連結しパンタグラフ状に伸縮自在としたシザー組立体とし、該シザー組立体の端部にある２本のシザーバーを支柱の上部に固定される固定ブラケットと支柱に沿って摺動するスライドブラケットにそれぞれ回動自在に取り付けて支柱間を連結し、前記屋根構造体は、基端部を前記支柱の上部に回動可能に取り付け、先端部を天幕の頂部に向かって延び出し可能とした屋根支持フレームと、両端部をそれぞれ前記スライドブラケットと前記屋根支持フレームに回動可能に取り付けた誘導フレームと、両端部をそれぞれ前記屋根支持フレームと前記シザー組立体に取り付けた補強フレームと、を備えている。
【０００５】
上記特許文献１に開示の組み立て式テントは、持ち運びに優れ、組み立てが容易でありながら、野外での使用において十分な強度を有するという利点がある。
【先行技術文献】
【特許文献】
【０００６】
【特許文献１】特開２０１８−１３５６８５号公報
【考案の概要】
【考案が解決しようとする課題】
【０００７】
しかしながら、上記特許文献１に開示の組み立て式テントであっても、長期間野外で使用したときの構造安定性が十分ではなかった。
【０００８】
本考案は、従来技術に存在していた欠点を克服するものであり、その目的とするところは、良好な構造安定性を有し、かつ簡便に組み立てることができる球状テントフレームを提供することである。
【課題を解決するための手段】
【０００９】
上記目的を達成するために、本考案に用いられる技術的な解決策は以下の通りである。
すなわち、複数の支持ロッドと複数の接続部材を含む球状テントフレームにおいて、各前記接続部材には少なくとも２つの接続ヘッドが設けられており、各前記接続ヘッドには軸方向にスリーブが嵌合されており、前記スリーブの内壁における底部寄りの位置には環状溝が設けられており、前記環状溝の上縁に沿って前記スリーブの底部中央を向く複数の弾性片が設けられており、各前記支持ロッドの両端はいずれも前記スリーブに挿入され、且つ、前記接続部材を頂点として、三角形単位で係接される半球状フレームを形成している。
【００１０】
さらに、接続部材は、正六股の接続ヘッド部材を含み、当該正六股の接続ヘッド部材は、正六角形の中心ベースを含み、前記接続ヘッドはそれぞれ、前記中心ベースの各側面に固定接続されて放射状に分布している。
【００１１】
さらに、前記接続部材は正五股の接続ヘッド部材を含み、当該正五股の接続ヘッド部材は、正五角形の中心ベースを含み、前記接続ヘッドはそれぞれ、前記中心ベースの各側面に固定接続されて放射状に分布している。
【００１２】
さらに、前記接続部材は偏在した五股の接続ヘッド部材を含み、当該偏在した五股の接続ヘッド部材は扁形の多角形中心ベースを含み、前記接続ヘッドはそれぞれ前記中心ベースの側面に固定接続されて放射状に分布しており、一対の隣接する２つの前記接続ヘッドの間の夾角は鈍角である。
【００１３】
さらに、前記接続部材は第１の四股の接続ヘッド部材を含み、当該第１の四股の接続ヘッド部材は２つの直角を有する扁形の五角形中心ベースを含み、前記接続ヘッドはそれぞれ前記中心ベースの側面に固定接続されて放射状に分布しており、２つの前記接続ヘッドは、それぞれ前記中心ベースにおける２つの平行な面に位置するとともに同一軸線上に位置し、残りの２つの接続ヘッドはそれぞれ前記中心ベースにおける２つの斜面上に位置している。
【００１４】
前記接続部材は第２の四股の接続ヘッド部材を含み、当該第２の四股の接続ヘッド部材は方形の多角形中心ベースを含み、２つの接続ヘッドはそれぞれ前記中心ベースにおける２つの平行な側面に位置するとともに同一軸線上に位置し、残りの２つの接続ヘッドは前記中心ベースの天井面に位置している。
【００１５】
前記接続部材は三股の接続ヘッド部材を含み、当該三股の接続ヘッド部材における３つの前記接続ヘッドは、互いに接続されて全体がＴ字形状をなしている。
【００１６】
前記接続部材は偏在した三股の接続ヘッド部材を含み、当該偏在した三股の接続ヘッド部材は２つの直角を有する扁形の五角形中心ベースを含み、前記接続ヘッドはそれぞれ前記中心ベースの側面に固定接続されて放射状に分布しており、前記偏在した三股の接続ヘッド部材全体が斜角三角形状をなすよう、２つの前記接続ヘッドはそれぞれ前記中心ベースにおける２つの平行な面に位置するとともに同一軸線上に位置し、残りの前記接続ヘッドは前記中心ベースにおける斜面に位置している。
【００１７】
前記接続部材は二股の接続ヘッド部材を含み、当該二股の接続ヘッド部材における２つの前記接続ヘッドは互いに同軸の直線状に接続されている。
【００１８】
前記球状テントフレームの開口は円弧アーチ状又は尖頭方形状である。
【考案の効果】
【００１９】
本考案の球状テントフレームは、三角形の安定性原理を利用することを技術的特徴とするものであり、複数の接続ヘッドを有する接続部材によって半球状のテントフレームを組み立てることができ、外観は美しくありながら変形しにくく強固な構造のテントフレームとすることができる。また支持ロッドが応力を加えて初めて支持ロッドが接続部材から脱落しやすくなるので、テントフレームの全体的な安定性を高めることができるし、簡便にフレーム同士を着脱することができる。また、支持ロッド同士が互いに独立していて干渉しないので、個々の支持ロッドが損傷することもなく、テントフレームが損傷することもない。
【図面の簡単な説明】
【００２０】
【図１】本考案の支持ロットと接続部材との組み立てた時の構造を示す斜視図である。
【図２】本考案の支持ロットと接続部材との組み立てた時の構造の断面図である。
【図３】本考案の正六股の接続ヘッド部材の構造を示す斜視図である。
【図４】本考案の正五股の接続ヘッド部材の構造を示す斜視図である。
【図５】本考案の偏在した五股の接続ヘッド部材の構造を示す斜視図である。
【図６】本考案の第１の四股の接続ヘッド部材の構造を示す斜視図である。
【図７】本考案の第２の四股の接続ヘッド部材の構造を示す斜視図である。
【図８】本考案の三股の接続ヘッド部材の構造を示す斜視図である。
【図９】本考案の偏在した３股の接続ヘッド部材の構造を示す斜視図である。
【図１０】本考案の正六股の接続ヘッド部材の構造を示す斜視図である。
【図１１】本考案の実施形態１の球状テントフレームの構造を示す模式図である。
【図１２】本考案の実施形態２の球状テントフレームの構造を示す模式図である。
【考案を実施するための形態】
【００２１】
本考案は、添付の図面と併せて以下において詳細に説明される。
【００２２】
図１は、本考案の支持ロットと接続部材との組み立てた時の構造を示す斜視図であり、図２は、図１の断面図である。図１及び図２を参照し、本考案の球状テントフレームは、複数の支持ロッド１と複数の接続部材２を含み、各接続部材２には少なくとも２つの接続ヘッド２０が設けられており、各接続ヘッド２０には軸方向にスリーブ２１が嵌合されており、スリーブ２１の内壁における底部寄りの位置には環状溝２１０が設けられており、環状溝２１０の上縁に沿ってスリーブ２１の底部中央を向く複数の弾性片２１１が設けられており、各支持ロッド１の両端はいずれもスリーブ２１に挿入され、且つ、接続部材２を頂点として、三角形単位で係接される半球状フレームが形成されている。
【００２３】
図３は、本考案の正六股の接続ヘッド部材の構造を示す斜視図である。図３を参照し、接続部材は、正六股の接続ヘッド部材を含み、当該正六股の接続ヘッド部材は、正六角形の中心ベース３を含み、前記接続ヘッドはそれぞれ中心ベース３の各側面に固定接続されて放射状に分布している。
【００２４】
図４は、本考案の正五股の接続ヘッド部材の構造を示す斜視図である。図４を参照し、接続部材は、正五股の接続ヘッド部材を含み、当該正五股の接続ヘッド部材は、正五角形の中心ベース４を含み、接続ヘッドはそれぞれ、中心ベース４の各側面に固定接続されて放射状に分布している。
【００２５】
図５は、本考案の偏在した五股の接続ヘッド部材の構造を示す斜視図である。図５を参照し、接続部材は、偏在した五股の接続ヘッド部材を含み、当該偏在した五股の接続ヘッド部材は扁形の多角形中心ベース５を含み、前記接続ヘッドはそれぞれ前記多角形中心ベース５の側面に固定接続されて放射状に分布しており、一対の隣接する２つの前記接続ヘッドの間の夾角は鈍角である。
【００２６】
図６は、本考案の第１の四股の接続ヘッド部材の構造を示す斜視図である。図６を参照し、接続部材は、第１の四股の接続ヘッド部材を含み、当該第１の四股の接続ヘッド部材は２つの直角を有する扁形の五角形中心ベース６を含み、前記接続ヘッドはそれぞれ前記五角形中心ベース６の側面に固定接続されて放射状に分布しており、２つの接続ヘッドは、それぞれ中心ベースにおける２つの平行な面に位置するとともに同一軸線上に位置し、残りの２つの接続ヘッドはそれぞれ五角形中心ベース６における２つの斜面上に位置している。
【００２７】
図７は、本考案の第２の四股の接続ヘッド部材の構造を示す斜視図である。図７を参照し、接続部材は、第２の四股の接続ヘッド部材を含み、当該第２の四股の接続ヘッド部材は、方形の多角形中心ベース７を含み、２つの前記接続ヘッドはそれぞれ多角形中心ベース７における２つの平行な側面に位置するとともに同一軸線上に位置し、残りの２つの接続ヘッドは多角形中心ベース７の天井面に位置している。
【００２８】
図８は、本考案の三股の接続ヘッド部材の構造を示す斜視図である。図８を参照し、接続部材は、三股の接続ヘッド部材を含み、当該三股の接続ヘッド部材における３つの接続ヘッド２０は、互いに接続されて全体がＴ字形状をなしている。
【００２９】
図９は、本考案の偏在した３股の接続ヘッド部材の構造を示す斜視図である。図９を参照し、接続部材は、偏在した三股の接続ヘッド部材を含み、当該偏在した三股の接続ヘッド部材は２つの直角を有する扁形の五角形中心ベース６を含み、接続ヘッドはそれぞれ五角形中心ベース６の側面に固定接続されて放射状に分布しており、偏在した三股の接続ヘッド部材全体が斜角三角形状をなすよう、２つの接続ヘッドはそれぞれ五角形中心ベース６における２つの平行な面に位置するとともに同一軸線上に位置し、残りの接続ヘッドは中心ベースにおける斜面に位置している。
【００３０】
図１０は、本考案の正六股の接続ヘッド部材の構造を示す斜視図である。図１０を参照し、接続部材は、二股の接続ヘッド部材を含み、当該二股の接続ヘッド部材における２つの前記接続ヘッドは互いに同軸の直線状に接続されている。
【００３１】
球状テントフレームを組み立てる場合には、二股の接続ヘッド部材と、正３股の接続ヘッド部材と、偏在した３股の接続ヘッド部材と、第１の四股の接続ヘッド部材と、第２の四股の接続ヘッド部材とは、同軸方向に接続できるため、球状テントフレームの底部及び側面部を構成することに使用することができる。これらの接続部材に挿入された支持ロッドの端部は、同軸線上に存在する接続部材によって角度を変更することで環状に接続される。これらの接続部材以外の接続部材、つまり、６股の接続ヘッド部材と、五股の接続ヘッド部材と、偏在した五股の接続ヘッド部材は、球状テントフレームの上面及び側面を繋ぎ合わせるために使用される。
【００３２】
図１１及び図１２は、本考案の実施形態の２つの球状テントフレームを示すものである。これらの球状テントフレームの開口は、円弧アーチ状又は尖頭方形状である。
【００３３】
以上、本考案の実施形態について詳述したが、上述した実施形態は、本考案の技術的思想の一例を例示しているに過ぎず、本考案は上述の実施形態のみに限定されるものではない。上述の実施形態に対して適宜設計変更及び修正を加えた場合でも、本実用新案登録請求の範囲を逸脱することのない範囲である限り、本考案の範囲に含まれるものとみなされる。
【符号の説明】
【００３４】
１    支持ロッド
２    接続部材
３    正六角形の中心ベース
４    正五角形の中心ベース
５    多角形中心ベース
６    五角形中心ベース
７    多角形中心ベース
２０  接続ヘッド
２１  スリーブ
２１０  環状溝
２１１  弾性片
【図１】
0003220248.tif 000003
【図２】
0003220248.tif 000004
【図３】
0003220248.tif 000005
【図４】
0003220248.tif 000006
【図５】
0003220248.tif 000007
【図６】
0003220248.tif 000008
【図７】
0003220248.tif 000009
【図８】
0003220248.tif 000010
【図９】
0003220248.tif 000011
【図１０】
0003220248.tif 000012
【図１１】
0003220248.tif 000013
【図１２】
0003220248.tif 000014